(57)【要約】【課題】ズーム動作するファインダ装置において、ズーム動作の際、円筒ガイドの間に付勢力を与える弾性部材が他の部品に干渉することなく、ズーム動作時の像ブレを防止するファインダ装置を提供する。【解決手段】ズーム動作を行うファインダの２枚のレンズの外周縁にカム従動突起を有する円筒ガイド２９ａ，３０ａおよびピンを設けている。円筒ガイドは案内軸２５を、ピンは長溝内を摺動する。螺旋カム部１５を２枚のレンズのカム従動突起１６，１７で挟み付け、ファインダカム１８の駆動により円筒ガイドを光軸方向に移動させカム従動突起１６，１７を案内する。円筒ガイド上に、光軸に平行になるような位置関係で係合部１１ａ，１２ａを設け、該係合部間に捩じり習性を与えたゴム１３を掛け渡す。ファインダカム駆動時に２つのレンズの外周縁他端のピンが長溝の一方の壁に押し当てられて摺動しズーム時の像ブレを防止する。【選択図】        図２
2004151426.tif 000002
【特許請求の範囲】
【請求項１】
レンズを有する１以上のファインダレンズ部と、該ファインダレンズ部の少なくとも１つを光軸方向に移動させるレンズ移動手段と、該レンズ移動手段にて移動される前記ファインダレンズ部の少なくとも１つを光軸方向の一方に付勢する付勢手段とを設けた画像撮影装置において、
光軸方向に延在し、前記ファインダレンズ部を光軸方向に移動するようにガイドするレンズガイド手段を設け、前記ファインダレンズ部を前記レンズ移動手段にて移動する際に、前記付勢手段は前記ファインダレンズ部と前記ガイド手段とを摺動するようにも付勢することを特徴とするファインダ装置。
【請求項２】
前記レンズ移動手段にて光軸方向に移動するファインダレンズ部を少なくとも２以上設け、該ファインダレンズ部の一部に挿通し、光軸方向に延在するとともに該挿通部を中心軸として該ファインダレンズ部を回動可能にするレンズ案内手段を設け、該レンズ案内手段に挿通されたファインダレンズ部の少なくとも２つを前記付勢手段の一方端と他方端に配置し、該付勢手段の一方端側のファインダレンズ部を前記回動方向の一方の回動方向に付勢して前記ガイド手段を摺動し、他方端側のファインダレンズ部を前記回動方向の他方の回動方向に付勢して前記付勢手段の一方端側のファインダレンズ部と前記ガイド手段の摺動部位と異なる摺動部位で前記ガイド手段を摺動することを特徴とする請求項１記載のファインダ装置。
【請求項３】
前記付勢手段に捩じり習性を備えたことを特徴とする請求項１または２記載のファインダ装置。
【請求項４】
前記付勢手段はゴム材またはコイルスプリングであることを特徴とする請求項１乃至３記載のファインダ装置。
【発明の詳細な説明】
【０００１】
【発明の属する技術分野】
本発明は、撮影レンズに連動してズーム動作するファインダ装置、さらに詳しくえば、該ファインダ装置の対物レンズ系のズーム移動による像ブレを防止する機構に関する。
【０００２】
【従来の技術】
ディジタルカメラにおける撮影レンズおよびファインダ装置のズーム動作は、ズームボタン操作によりモータ駆動力を各機構に伝達させて行うのが一般的である。
モータ軸は減速ギヤ群に係合され、減速ギヤ群の最終ギヤはファインダズーム機構のギヤおよび撮影レンズズーム機構のギヤにそれぞれ噛み合っている。最終ギヤは連動ギヤを介してファインダカムにモータ回転力を伝えるとともに撮影レンズのズーム機構にもモータ回転力を伝える。
ファインダ装置のズーム機構は、撮影レンズのズーム動作に従ってファインダレンズのうち少なくとも２枚を光軸方向に進退させて行われる。この２枚のファインダレンズは、ファインダカムのカムに沿って移動させられ、撮影レンズ対応の倍率を得ることができる。
【特許文献１】特開２００２−６２５６２号公報
【０００３】
【発明が解決しようとする課題】
図７は、ファインダ装置のズーム機構を示す斜視図で、（ａ）はワイド位置に駆動した場合、（ｂ）はテレ位置に駆動した場合である。図８は、ファインダ装置の背面図である。
上記図は、本件発明者が実施を予定しているファインダ装置のズーム機構を示すものである。対物側のファインダレンズは第１〜第４のファインダレンズ２１，２２，２３および２４で構成されている。第１および第４ファインダレンズ２１，２４は固定されており、第２および第３ファインダレンズ２２，２３はズームのために光軸方向に進退可能である。第２および第３ファインダレンズ２２，２３の支持枠２９，３０の円筒ガイド２９ａ，３０ａは案内軸２５で案内され、反対側の案内ピン３２，３３は長溝１９内を摺動するようになっている。円筒ガイド２９ａ，３０ａにはカム従動突起１６，１７が設けられている。
【０００４】
ファインダカム１８を構成する円筒１８ａの表面には螺旋カム部１５が形成され、この螺旋カム部１５を第２ファインダレンズ２２および第３ファインダレンズ２３のカム従動突起１６，１７が前後から挟み付けている。円筒ガイド２９ａ，３０ａの間にスプリング２６が掛け渡され、カム従動突起１６，１７は常に螺旋カム部１５に押し当てられるように付勢力が与えられている。
図７（ａ）はワイド位置に第２および第３ファインダレンズ２２，２３が位置付けられた場合で、カム従動突起１６，１７は螺旋カム部１５の最も太い部分を挟み付けている。また、図７（ｂ）はテレ位置に第２および第３ファインダレンズ２２，２３が位置付けられた場合で、カム従動突起１６，１７は螺旋カム部１５の最も細い部分を挟み付けている。
【０００５】
ファインダが撮影レンズに追従してズーム動作する場合、カム従動突起１６，１７は、螺旋カム部１５に沿って案内され、円筒ガイド２９ａ，３０ａが案内軸２５を、案内ピン３２，３３が長溝１９を滑動する。
かかる場合、長溝１９の幅は案内ピン３２，３３の外径より僅かに大きくなっており、図７に示すように係止部３４，３５の間にスプリング２６を掛け渡すのみでは滑動の際、案内ピン３２，３３が長溝１９内を上下に揺れながら移動し、像ブレを発生させる問題があった。
【０００６】
本発明の目的は、撮影レンズに連動してズーム動作するファインダ装置において、ズーム動作の際、円筒ガイドの間に付勢力を与える弾性部材が他の部品に干渉することなく、ズーム動作時の像ブレを防止することができるファインダ装置を提供することにある。
【０００７】
【課題を解決するための手段】
前記目的を達成するために本発明によるファインダ装置は、レンズを有する１以上のファインダレンズ部と、該ファインダレンズ部の少なくとも１つを光軸方向に移動させるレンズ移動手段と、該レンズ移動手段にて移動される前記ファインダレンズ部の少なくとも１つを光軸方向の一方に付勢する付勢手段とを設けた画像撮影装置において、光軸方向に延在し、前記ファインダレンズ部を光軸方向に移動するようにガイドするレンズガイド手段を設け、前記ファインダレンズ部を前記レンズ移動手段にて移動する際に、前記付勢手段は前記ファインダレンズ部と前記ガイド手段とを摺動するようにも付勢する構成とする。
本発明は、前記レンズ移動手段にて光軸方向に移動するファインダレンズ部を少なくとも２以上設け、該ファインダレンズ部の一部に挿通し、光軸方向に延在するとともに該挿通部を中心軸として該ファインダレンズ部を回動可能にするレンズ案内手段を設け、該レンズ案内手段に挿通されたファインダレンズ部の少なくとも２つを前記付勢手段の一方端と他方端に配置し、該付勢手段の一方端側のファインダレンズ部を前記回動方向の一方の回動方向に付勢して前記ガイド手段を摺動し、他方端側のファインダレンズ部を前記回動方向の他方の回動方向に付勢して前記付勢手段の一方端側のファインダレンズ部と前記ガイド手段の摺動部位と異なる摺動部位で前記ガイド手段を摺動する構成とする。
本発明は前記付勢手段に捩じり習性を備えた構成とする。
本発明は前記付勢手段にゴム材またはコイルスプリングを用いる構成とする。
【０００８】
【作用】
上記構成によれば、付勢手段によってファインダレンズをレンズ移動手段に摺動するように付勢するのと同時に、ファインダレンズをレンズガイド手段にも付勢することで、ファインダレンズをスムーズに移動させることができるとともに、部品点数を減らし、像ブレを防止した低コストのファインダ装置を提供することができる。
また、前記付勢手段によって前記レンズ移動手段と前記ファインダレンズの摺動する面に対して略垂直方向に力が加わるように付勢することで、前記レンズ移動手段と前記ファインダレンズの摺動時に発生するビビリをより低減することもできる。
【０００９】
【発明の実施の形態】
以下、図面を参照して本発明の実施の形態をさらに詳しく説明する。
図１は、本発明によるファインダ装置を適用したディジタルカメラの外観図で、（ａ）は前面斜視図，（ｂ）は背面図である。
ディジタルカメラ１の前面右端にはファインダ装置２が設置され、背面のズームボタン４を操作することにより撮影レンズおよびファインダ装置２のズーム動作を行うことができる。
【００１０】
図２は、本発明によるファインダ装置の実施の形態を示す斜視図である。
被写体からの光はファインダ対物レンズ系３の第１ファインダレンズ２１，第２ファインダレンズ２２，第３ファインダレンズ２３および第４ファインダレンズ２４を通り，反射ミラー６ａ，６ｂ，６ｃおよび６ｄでそれぞれ９０度方向転換させられファインダ接眼レンズ２８より出射する。
第２ファインダレンズ２２と第３ファインダレンズ３３の支持枠を支える円筒ガイド２９ａ，３０ａは案内軸２５に案内される。また、円筒ガイド２９ａ，３０ａより下面に突出したカム従動突起１６，１７は螺旋カム部１５を挟み付けている。円筒ガイド２９ａ，３０ａ上の係合部１１ａ，１２ａは案内軸２５と平行になるよう一直線上に乗るように植設されている。
【００１１】
係合部１１ａ，１２ａの間には捩じった状態でゴム１３が掛け渡されている。ゴム１３の収縮力によりカム従動突起１６，１７は螺旋カム部１５を挟み付ける付勢力が与えられる。また、ゴム１３の捩じり力により第２ファインダレンズ２２と第３ファインダレンズ２３にそれぞれ反対方向に回転習性が与えられる。
ズーム動作が行われた場合、ゴム１３は上記直線上を伸び縮みするだけであるため、他の部品に干渉することはない。
【００１２】
図３は、図２のファインダ装置の正面図で、（ａ）は対物レンズ系の第２ファインダレンズ部分の前面部分を省略した図、（ｂ）は対物レンズ系の第３ファインダレンズの前面部分を省略した図である。
図３（ａ）において、第２ファインダレンズ２２の支持枠２９は反時計方向Ａに回転習性が与えられる。そのため案内ピン３２は長溝１９の上壁１９ａに押し当てられた状態となる。
一方、図３（ｂ）では第３ファインダレンズ２３の支持枠３０は時計方向Ｂに回転習性が与えられる。そのため案内ピン３３は長溝１９の下壁１９ｂに押し当てられた状態となる。
図４はファインダ装置を背面から見た図である。それぞれ案内ピン３２，３３は長溝１９の上壁と下壁に押し当てられた状態で摺動するため像ブレが発生することはない。
【００１３】
さらに図５を用いて詳述する。
図５はカム従動突起の動きを説明するための螺旋カム部の展開図である。
上述の如く案内ピン３２，３３は長溝１９の上壁と下壁に押し当てられた状態で摺動するため図５に示すごとく、螺旋カム部１５を摺動しながらカム従動突起１６とカム従動突起１７は所要に光軸方向に移動する。
このとき、カム従動突起１６と１７には、ゴム１３により付勢されることによりカム従動突起１６と１７とが引き合う方向に力▲１▼が生じ、この力▲１▼により常に螺旋カム部１５に摺動する。
また、ゴム１３の捩じり力によってカム従動突起１６にファインダレンズの移動方向に対して垂直方向で、かつ螺旋カム部１５の移動方向に力▲２▼（ワイド側からテレ側方向）およびカム従動突起１７に力▲３▼（テレ側からワイド側方向）が生じ、この力▲２▼および▲３▼により、常に前記案内ピン３２および３３は前記長溝１９に押し当てられた状態となっている。
【００１４】
したがって、カム従動突起１６および１７をテレ側からワイド側またはその逆に移動した場合、力▲１▼乃至▲３▼によって像ブレの防止を行っている。
すなわち、力▲１▼によって常に螺旋カム部に摺動されていることにより光軸方向のブレがなくなり、力▲２▼および▲３▼によって常に前記案内ピン３２および３３は前記長溝１９に押し当てられた状態になることで押し当てられることにより、見かけ上、力▲２▼の方向と▲３▼の方向には長溝１９による壁があり、力▲２▼と▲３▼の方向には振動がなく、ファインダレンズの光軸に対して垂直な方向の振動を防止し、像ブレもなくなる。
また、好ましくはゴム１３の捩じり方向は力▲２▼および▲３▼の方向に生じるようにすることが好ましい。
【００１５】
すなわち、ゴム１３の捩じり方向を図３に示す装置の断面における反時計方向に捩じることにより力▲２▼および▲３▼を発生させ、力▲２▼および▲３▼を図５に示す方向にすると、例えば、テレ側からワイド側にカム従動突起１６および１７を移動させた際に、カム従動突起１６と螺旋カム部１５の摩擦による力が大きくなるが、上述のごとく見かけ上長溝１９による壁があり振動を起こすことがない。
一方、ワイド側からテレ側にカム従動突起１６および１７を移動させた際には、カム従動突起１７と螺旋カム部１５の摩擦による力が大きくなるが、同様に長溝１９による壁があり振動を起こすことがない。
【００１６】
なお、本発明は上記実施の形態に限定されるものではなく、本発明の要旨を逸脱しない範囲内で種々の変更や改良などは何ら差し支えない。
例えば、本発明においては像ブレを防止するために、ゴムやスプリングに捩じり力を加えたが、ゴム１３やスプリング２０を一直線上になるように配置するのではなく、係止部の一方を右方向または左方向にずらして設け、スプリング２０を斜めに掛け渡しすることができる。このようにすることで、第２および第３ファインダレンズにそれぞれ反対方向に回転習性を与えることができる。
また、ガイド手段の一つである長溝１９に限定されず、案内ピン３２，３３が挿入されるようなコ状のガイド構成としてもよいし、長溝１９を連続した凸部にして、案内ピン３２，３３を凹部に形成しても、上述した効果を得ることができる。
【００１７】
さらに本発明においては、第２ファインダレンズと第３ファインダレンズとの円筒ガイドに同一のスプリング等を設けて付勢したが、それぞれのファインダレンズ専用にスプリングを設けても上述した効果を得ることもできる。例えば、このスプリング等の一方端にファインダレンズを配置し、他方端を装置の壁等に固着し、スプリング等に捩じり習性を与えてファインダレンズの案内ピンを長溝に摺動するように構成する。
【００１８】
図６は、弾性部材としてコイルスプリングを用いた他の実施の形態を示す部分図である。
係止部１１ａ，１２ａの間に掛け渡す弾性部材は、数回捩じりを与えたコイルスプリング２０である。円筒ガイド２９ａは矢印Ｃの方向に回転習性が与えられ，円筒ガイド３０ａは矢印Ｄの方向に回転習性が与えられる。
【００１９】
以上、説明したように本発明の実施の形態によれば２枚のレンズの外周縁それぞれにカム従動突起を有する円筒ガイドおよびピンを設け、円筒ガイドは軸を、ピンは長溝内をそれぞれ摺動するようにし、ファインダカムの螺旋カム部を前記２枚のレンズのカム従動突起で挟み付け、ファインダカムの駆動により前記カム従動突起を前記螺旋カム部で案内し、前記円筒ガイドを光軸方向に移動させてズーム動作を行なうファインダ装置において、２枚のレンズの外周縁の円筒ガイド上に、光軸に平行になるような位置関係でそれぞれ係合部を設け、係合部間に捩じり習性を与えた弾性部材を掛け渡し、ファインダカム駆動時に前記２つのレンズの外周縁他端のピンが長溝の一方の内壁に押し当てられて摺動するように構成されている。
したがって、ズーム動作時、他の部品に干渉することなく第２および第３ファインダレンズに片寄せの回転習性を与えることができ、第２および第３ファインダレンズ外周縁他端のピンは長溝の一方の壁に押しつけられながら摺動しズーム時の像ブレを防止できる。
【００２０】
【発明の効果】
かくして、本発明のファインダ装置によれば、前記ファインダレンズ部をガイドするレンズガイド手段を設け、前記ファインダレンズ部を移動する際、前記付勢手段は該ファインダレンズ部が前記ガイド手段を摺動するように付勢することで、像ブレを防止することができた。
【図面の簡単な説明】
【図１】本発明によるファインダ装置を適用したディジタルカメラの外観図で、（ａ）は前面斜視図，（ｂ）は背面図である。
【図２】本発明によるファインダ装置の実施の形態を示す斜視図である。
【図３】図２のファインダ装置の正面図で、（ａ）は対物レンズ系の第２ファインダレンズ部分の前面部分を省略した場合、（ｂ）は対物レンズ系の第３ファインダレンズの前面部分を省略した場合である。
【図４】図２のファインダ装置の背面図である。
【図５】カム従動突起の動きを説明するための螺旋カム部の展開図である。
【図６】弾性部材としてコイルスプリングを用いた実施の形態を示す部分図である。
【図７】ファインダ装置のズーム機構を示す斜視図で、（ａ）はワイド位置に駆動した場合、（ｂ）はテレ位置に駆動した場合である。
【図８】図７のファインダ装置の背面図である。
【符号の説明】
１  ディジタルカメラ
２  ファインダ装置
３  ファインダ対物レンズ系
４  ズームボタン
５  カムギヤ
６ａ，６ｂ，６ｃ，６ｄ  反射ミラー
７，８，３２，３３  案内ピン
９  ファインダベース
１０  螺旋カム部
１１ａ，１２ａ  係合部
１３  ゴム（弾性部材）
１４  軸
１５  螺旋カム部
１６，１７  カム従動突起
１８  ファインダカム
１９  長溝
２０，２６  スプリング
２１  第１ファインダレンズ
２２  第２ファインダレンズ
２３  第３ファインダレンズ
２４  第４ファインダレンズ
２５  案内軸
２８  ファインダ接眼部
２９，３０  支持枠
２９ａ，３０ａ  円筒ガイド
３１  レンズ押え
【図１】
2004151426.tif 000003
【図２】
2004151426.tif 000004
【図３】
2004151426.tif 000005
【図４】
2004151426.tif 000006
【図５】
2004151426.tif 000007
【図６】
2004151426.tif 000008
【図７】
2004151426.tif 000009
【図８】
2004151426.tif 000010